(57)【要約】【課題】長寿命を実現でき、精度よく製造することができるスラストころ軸受の製造方法を提供する。【解決手段】スラストころ軸受の製造方法は、保持器２１の外周側の鍔部２６ａを回転軸方向に折り曲げる鍔部折曲げ工程と、鍔部折曲げ工程の後に、外周側の鍔部２６ａの内周側の面がポケットの外周側の壁面となるようにポケットを形成するポケット形成工程と、ポケットの外周側の壁面にしごき加工を行うしごき工程とを含む。【選択図】図１
2008025592.tif 000002
【特許請求の範囲】
【請求項１】
複数のころと、
複数のころを保持する複数のポケットを有する円板状の保持器とを備えるスラストころ軸受の製造方法であって、
保持器の外周側の鍔部を回転軸方向に折り曲げる鍔部折曲げ工程と、
鍔部折曲げ工程の後に、外周側の鍔部の内周側の面がポケットの外周側の壁面となるようにポケットを形成するポケット形成工程と、
ポケットの外周側の壁面にしごき加工を行うしごき工程とを含む、スラストころ軸受の製造方法。
【請求項２】
保持器の断面がＶ字状となるように折り曲げるＶ字折曲げ工程を含み、
Ｖ字折曲げ工程の後に、ポケット形成工程を行う、請求項１に記載のスラストころ軸受の製造方法。
【請求項３】
ポケット形成工程としごき工程を同時に行う、請求項１または２に記載のスラストころ軸受の製造方法。
【請求項４】
鍔部折曲げ工程は、外周側の鍔部を回転軸方向に折り返すように折り曲げる工程を含む、請求項１〜３のいずれかに記載のスラストころ軸受の製造方法。
【発明の詳細な説明】
【技術分野】
【０００１】
この発明は、スラストころ軸受の製造方法に関し、特に、高速回転下において使用されるスラストころ軸受の製造方法に関するものである。
【背景技術】
【０００２】
カーエアコン用コンプレッサやオートマチックトランスミッション、マニュアルトランスミッション及びハイブリッド自動車に使用されるスラストころ軸受は、近年の省燃費化や小型化、高出力化の要求により、高速回転、希薄潤滑環境等、過酷な使用環境下でも使用に耐えうる特性が要求される。過酷な使用環境に耐えうるスラストころ軸受が、特開２００３−８３３３３号公報（特許文献１）や特開２００５−１６４０２３号公報（特許文献２）、特開２００４−３０１１９５号公報（特許文献３）に開示されている。
【０００３】
ここで、特許文献３に開示されているスラストころ軸受に含まれる保持器の製造方法について、簡単に説明すると、まず、ころを保持するポケットを形成するように、パンチ等でポケット抜きを行う。その後、内径側を外側に折り曲げて、内径側フランジ部を形成する。さらに、ポケットの外径側端部よりも内径側で、逆方向に折り曲げることで、ポケットの外径側端部まで延在した外径側フランジ部を形成する。このようにして保持器を製造する。
【０００４】
特許文献１および特許文献２によると、スラストころ軸受は、その端面が曲面であるころと、保持器とを有する。こうすることにより、ころの外周側の端面とポケットの外周側の壁面との摺動抵抗を小さくし、ポケットの外周側の壁面の摩耗を低減している。
【０００５】
また、特許文献３によると、ポケットの外周側の壁面を、回転軸方向に折り曲げた鍔部で構成することにしている。こうすることにより、ポケットの外周側の壁面の面積を広くし、ころの外周側の端面から受ける接触面圧を小さくして、ポケットの外周側の壁面の摩耗を低減している。
【特許文献１】特開２００３−８３３３３号公報（段落番号００１６〜００２２、図１〜図３）
【特許文献２】特開２００５−１６４０２３号公報（段落番号００１９〜００２２、図１、図２）
【特許文献３】特開２００４−３０１１９５号公報（段落番号００２１、００２４、図３、図４（ａ）、図４（ｂ））
【発明の開示】
【発明が解決しようとする課題】
【０００６】
特許文献１〜３に示すスラストころ軸受に含まれる保持器は、上記した製造方法により製造されるが、このような製造方法であれば、ポケットの寸法を精度よく製造することができない。特に、特許文献３に示す保持器においては、回転軸方向に折り曲げた鍔部によって、ポケットの壁面を精度よく形成することは困難である。
【０００７】
また、ころが小径である場合、上記した製造方法では、ころの外周側の端面とポケットの外周側の壁面とを適切に接触させることは困難である。
【０００８】
また、上記した特許文献１〜３に示す保持器のうち、ポケットの外周側の壁面は、鉄板の表面である。鉄板の表面は、粗い面であり、その面粗度が悪い。また、ポケットの外周側の壁面を、パンチによる打ち抜き面としても、その面粗度は悪い。このような面粗度の悪いポケットの外周側の壁面ところの外周側の端面とが当接すると、ドリリング摩耗が発生してしまうことになる。特に、上記した過酷な使用環境においては、その傾向は顕著である。そうすると、ポケットの外周側の壁面が大きく摩耗してしまい、スラストころ軸受の長寿命を図ることができない。
【０００９】
この発明の目的は、長寿命を実現でき、精度よく製造することができるスラストころ軸受の製造方法を提供することである。
【課題を解決するための手段】
【００１０】
この発明に係るスラストころ軸受の製造方法は、複数のころと、複数のころを保持する複数のポケットを有する円板状の保持器とを備えるスラストころ軸受の製造方法である。ここで、スラストころ軸受の製造方法は、保持器の外周側の鍔部を回転軸方向に折り曲げる鍔部折曲げ工程と、鍔部折曲げ工程の後に、外周側の鍔部の内周側の面がポケットの外周側の壁面となるようにポケットを形成するポケット形成工程と、ポケットの外周側の壁面にしごき加工を行うしごき工程とを含む。
【００１１】
このように構成することにより、予め外周側の鍔部を回転軸方向に折り曲げた後、外周側の鍔部の内周側の面がポケットの外周側の壁面となるようにポケット形成工程が行われるため、ポケットの寸法精度を良好にすることができる。また、ポケットの外周側の壁面がしごき加工された面となるため、ころの転動時において、ころの外周側の端面とポケットの外周側の壁面とが当接するに際し、しごき加工された面ところの外周側の端面とが当接することになる。しごき加工された面は、平滑であり、面粗度が良好であるため、ドリリング摩耗を抑制することができる。さらに、ポケットの外周側の壁面は、回転軸方向に折り曲げられた外周側の鍔部で形成されているため、面積が広く、ＰＶ値を小さくすることができる。したがって、ポケットの外周側の壁面の摩耗を抑制することができる。その結果、長寿命を実現でき、精度よく製造することができるスラストころ軸受の製造方法を提供することができる。
【００１２】
好ましくは、保持器の断面がＶ字状となるように折り曲げるＶ字折曲げ工程を含み、Ｖ字折曲げ工程の後に、ポケット形成工程を行う。このように構成することにより、ころの保持が容易になる。
【００１３】
さらに好ましくは、ポケット形成工程としごき工程を同時に行う。このように構成することにより、製造に要する時間や設備を省略することができ、効率的にスラストころ軸受を製造することができる。
【００１４】
さらに好ましくは、鍔部折曲げ工程は、外周側の鍔部を回転軸方向に折り返すように折り曲げる工程を含む。このように構成することにより、外周側の鍔部の剛性を高めることができ、製造時や使用時における保持器の破損を防止することができる。
【発明の効果】
【００１５】
この発明によれば、予め外周側の鍔部を回転軸方向に折り曲げた後、外周側の鍔部の内周側の面がポケットの外周側の壁面となるようにポケット形成工程が行われるため、ポケットの寸法精度を良好にすることができる。また、ポケットの外周側の壁面がしごき加工された面となるため、ころの転動時において、ころの外周側の端面とポケットの外周側の壁面とが当接するに際し、しごき加工された面ところの外周側の端面とが当接することになる。しごき加工された面は、平滑であり、面粗度が良好であるため、ドリリング摩耗を抑制することができる。さらに、ポケットの外周側の壁面は、回転軸方向に折り曲げられた外周側の鍔部で形成されているため、面積が広く、ＰＶ値を小さくすることができる。したがって、ポケットの外周側の壁面の摩耗を抑制することができる。その結果、長寿命を実現でき、精度よく製造することができるスラストころ軸受の製造方法を提供することができる。
【発明を実施するための最良の形態】
【００１６】
以下、この発明の実施の形態を図面を参照して説明する。まず、この発明の一実施形態に係るスラストころ軸受の製造方法で製造されたスラストころ軸受について説明する。図２は、スラストころ軸受を軸方向から見た図である。図３は、図２に示すスラストころ軸受を、図２中の線ＩＩＩ−Ｏ−ＩＩＩで切断した場合の断面図である。図４は、図２においてＩＶで示す部分の拡大図である。図５は、図３において、Ｖで示す部分の拡大図である。
【００１７】
図２〜図５を参照して、スラストころ軸受３１は、複数のころ１１と、複数のころ１１を保持する保持器２１とを備える。ころ１１の端面１２は、Ａ端面、すなわち、径方向の中央部が、転動軸心方向に膨出しており、その断面が単一の曲率で構成されている端面である。
【００１８】
保持器２１は、円板状の部材から構成されており、一対の環状部２３ａ、２３ｂと、ころ１１を保持するためのポケット２２を形成するように、一対の環状部２３ａ、２３ｂを連結する複数の柱部２４とを備える。ポケット２２は、回転軸を中心として、放射状に複数設けられている。各ポケット２２には、ころ１１の脱落を防止するためのころ止め部２５が設けられている。ポケット２２には、ころ１１の移動を許容する遊びが設けられている。ころ１１は、ポケット２２内において、許容範囲内で回転軸方向、径方向、周方向に動くことができ、ころ１１の動くことができる遊隙量は、ころ止め部２５等によって定められる。
【００１９】
複数の柱部２４の径方向の中央部は、回転軸方向に折り返すようにして折り曲げられている。すなわち、柱部２４は、断面がＶ字状となるよう折り曲げられている。また、保持器２１の外周側および内周側の鍔部２６ａ、２６ｂについても、回転軸方向に折り返すようにして折り曲げられている。鍔部２６ａ、２６ｂおよび柱部２４の断面は、略Ｗ字状である（図３参照）。ポケット２２の外周側の壁面２７ａには、回転軸方向に折り曲げられた外周側の鍔部２６ａが位置している。すなわち、回転軸方向に折り曲げられた外周側の鍔部２６ａの内周側の面は、ポケット２２の外周側の壁面２７ａを形成している。
【００２０】
ここで、ポケット２２の外周側の壁面２７ａは、しごき加工された面である。しごき加工された面であるポケット２２の外周側の壁面２７ａは、パンチ等による打ち抜き面や保持器２１の表面よりも平滑であり、面粗度は良好である。なお、ポケット２２の内周側の壁面２７ｂについては、しごき加工を行っていない。
【００２１】
ころ１１の転動時において、ころ１１は遠心力等により、外周側に移動する。そうすると、ころ１１の外周側の端面１２と、ポケット２２の外周側の壁面２７ａとが当接することになる。
【００２２】
図６は、ころ１１の外周側の端面１２と、ポケット２２の外周側の壁面２７ａとが当接した状態を示す図であり、図４に対応する。また、図７は、この場合のスラストころ軸受３１の拡大断面図であり、図５に対応する。図６および図７を参照して、ころ１１の外周側の端面１２は、ポケット２２の外周側の壁面２７ａと当接する。具体的には、ころ１１の端面１２のうち、最も転動軸心方向に膨出した部分と、ポケット２２の外周側の壁面２７ａのうち、回転軸方向、径方向の中央部付近において当接する。
【００２３】
ポケット２２の外周側の壁面２７ａは、しごき加工された面であるため、面粗度が良好である。そうすると、ころ１１の外周側の端面１２が当接しても、ポケット２２の外周側の壁面２７ａのドリリング摩耗を抑制することができる。この場合、ころ１１の端面１２はＡ端面であり、曲面を有するため、周速の小さい点で接触させることができる。また、回転軸方向に折り曲げられた鍔部２６ａの内周側の面をポケット２２の外周側の壁面２７ａとしているため、保持器２１を構成する板厚以上の面積を確保することができる。そうすると、面積を広くすることができるため、接触面圧Ｐとすべり速度Ｖとを乗じた値であるＰＶ値を下げることができる。特に、Ｆ端面、すなわち、平らな端面である場合には、その効果は顕著である。
【００２４】
したがって、ポケット２２は、ころ１１を長期間安定して保持することができ、このような保持器２１を含むスラストころ軸受３１は、長寿命を実現することができる。
【００２５】
ここで、上記した保持器２１の製造方法について説明する。図８（Ａ）〜図８（Ｃ）は、保持器２１の製造方法のうち、代表的な工程を示すフローチャートである。また、図１は、後述するポケット形成工程としごき工程とを同時に行う場合の概略図である。
【００２６】
図１および図８（Ａ）〜（Ｃ）を参照して、まず、保持器２１の構成材料である鉄板から、保持器２１の形状をパンチ等によって打ち抜く（図８（Ａ））。次に、保持器２１の外周側の鍔部２６ａ、内周側の鍔部２６ｂ、柱部２４の中央部を、図１中の矢印Ａで示すように、それぞれプレス等によって回転軸方向に折り返すようにして折り曲げる（図８（Ｂ））。すなわち、外周側および内周側の鍔部２６ａ、２６ｂにおいては鍔部折曲げ工程、柱部２４においては、断面がＶ字状となるようなＶ字折曲げ工程を行う。その後、折り曲げられた外周側の鍔部２６ａの内周側の面が、ポケット２２の外周側の壁面２７ａとなるよう、しごきながら、ポケット抜きを行う（図８（Ｃ））。ここで、この工程は、ポケット形成工程およびしごき工程となる。ポケット形成工程およびしごき加工は、たとえば、しごき腕を有する雄型しごき冶具３６ａと、しごき溝を有する雌型しごき冶具３６ｂとを用い、雌型しごき冶具３６ｂ上に保持器２１をセットし、回転軸方向、すなわち、図１中の矢印Ｂの方向に雄型しごき冶具３６ａを押し進めて、回転軸方向に折り曲げられた鍔部２６ａの板厚を削り取るようにして行われる。このようにして、保持器２１に含まれる各ポケット２２を形成し、保持器２１を製造する。このようにして製造された保持器２１に、複数のころ１１を組み込んで、スラストころ軸受３１を製造する。
【００２７】
このような製造方法であると、ポケット抜き工程の前に、柱部２４の中央部および鍔部２６ａ、２６ｂを回転軸方向に折り返すように折り曲げているため、ポケットを高精度に形成することができる。特に、ころ１１が小径である場合でも、ころ１１の外周側の端面１２が接触する為のポケット２２の外周側の壁面２７ａを確保することが可能になる。
【００２８】
また、柱部２４は、断面がＶ字状となるよう折り曲げられているため、ころ１１の保持が容易になる。
【００２９】
さらに、ポケット形成工程としごき工程を同時に行っているため、製造に要する時間や設備を省略することができ、効率的にスラストころ軸受を製造することができる。
【００３０】
なお、ポケット形成工程を行った後に、しごき工程を行ってもよい。図９および図１０は、この場合のポケット形成工程（図９）およびしごき工程（図１０）の概略図である。まず、図９を参照して、外周側および内周側の鍔部２６ａ、２６ｂにおいては鍔部折曲げ工程、柱部２４においては、断面がＶ字状となるようなＶ字折曲げ工程が行われた保持器２１の所定の領域を、パンチ３７によって回転軸方向、すなわち、図９中の矢印Ｂの方向に打ち抜いて、ポケットを形成する。次に、図１０を参照して、雄型しごき冶具３６ａおよび雌型しごき冶具３６ｂから構成されるしごき冶具によって、ポケット２２の外周側の壁面となる鍔部２６ａの内周側の面をしごく。このようにしても、上記した構成の保持器２１を得ることができる。
【００３１】
また、回転軸方向におけるころ１１の遊隙量の長さは、しごき加工された面の回転軸方向の長さＣよりも短い方がよい（図５参照）。上記したように、ポケット２２には遊びが設けられているが、こうすることにより、ころ１１の転動時において、ころ１１が回転軸方向において、遊隙量の範囲内で動いた場合であっても、ころ１１の外周側の端面１２と、ポケット２２の外周側の壁面２７ａを形成するしごき面とを、確実に当接させることができる。
【００３２】
ここで、ポケット２２の外周側の壁面２７ａの形状については、平らな面であってもよいし、鍔部２６ａの内周側の面に沿うように外周側に凹んだ曲面であってもよい。
【００３３】
図１１は、ポケットの外周側の壁面が平らな面である保持器を備えるスラストころ軸受の一部を、回転軸方向から見た図である。図１１を参照して、ポケット４２の外周側の壁面４３は、平らな面である。また、ポケット４２の外周側の壁面４３は、ころ４６の転動軸心に直交する平面であることが好ましい。こうすることにより、後述するように、ころ４６の外周側の端面４７と当接する際に、適切に当接することができる。
【００３４】
この場合、ポケット４２は、回転軸方向から見た場合に、略長方形状であることが好ましい。このように構成することにより、ポケット４２に保持されるころ４６の形状に沿うことができ、円滑にころ４６を転動させることができる。
【００３５】
また、ポケット４２の外周側の壁面４３のうち、周方向の中央におけるしごき量は、保持器４１の板厚の１０％以下であることが好ましい。すなわち、図１１において、保持器４１の板厚をＦとし、ポケット４２の外周側の壁面４３のうち、周方向の中央におけるしごき量をＧとすると、しごき量Ｇを板厚Ｆの１０％以下とする。しごき量が多くなれば、板厚が薄くなる。そうすると、ポケット４２の外周側の壁面４３が強度不足となるおそれがある。特に、ポケット４２の外周側の壁面４３は、平らな面であるため、ポケット４２の外周側の壁面４３のうち、ポケット４２の周方向の中央部分と、周方向の端部、すなわち、ポケット４２の側壁面側の部分では、板厚は異なり、ポケット４２の周方向の中央部分の板厚の方が薄くなる。そうすると、この部分で強度不足となって、ポケット４２の外周側の壁面４３が破損するおそれがある。したがって、周方向の中央におけるしごき量Ｇを板厚Ｆの１０％以下とすることにより、ポケット４２の外周側の壁面４３のうち、ポケット４２の周方向の中央部分の板厚を最低限維持し、強度を確保することができる。
【００３６】
また、ポケット４２の外周側の壁面４３の径方向内側または径方向外側への倒れ量は、５０μｍ以下であることが好ましく、さらには、２０μｍ以下とすることが好ましい。ポケット４２の外周側の壁面４３が、径方向内側または径方向外側に大きく倒れると、ころ４６の外周側の端面４７と接触する際に、局部的に接触することになる。具体的には、ころ４６の外周側の端面４７のうち、回転軸方向における上側部分または下側部分でのみ、ポケット４２の外周側の壁面４３と接触することになる。そうすると、ころ４６の外周側の端面４７と、ポケット４２の外周側の壁面４３とが片当たりすることになり、ポケット４２の外周側の壁面４３の一部の摩耗が促進してしまう。しかし、上記のように構成することにより、ころ４６の外周側の端面４７と、ポケット４２の外周側の壁面４３との片当たりを防止することができる。したがって、ポケット４２の外周側の壁面４３の摩耗を低減することができる。なお、倒れ量とは、図５中において示すと、ポケット２２の外周側の壁面２７ａのうち、保持器２１の径方向における点Ｄおよび点Ｅの間の長さをいう。
【００３７】
図１２は、ポケットの外周側の壁面が外周側に凹んだ曲面である保持器を備えるスラストころ軸受の一部を、回転軸方向から見た図である。図１２を参照して、ポケット５２の外周側の壁面５３は、外周側の鍔部５４の内周側の面５５に沿うように外周側に凹んだ曲面であって、しごき加工された面である。この場合、ポケット５２の外周側の壁面５３は外周側に凹んだ曲面であるため、ポケット５２の外周側の壁面５３の肉厚を、ポケット５２の周方向において、ほぼ均一にすることができる。そうすると、ポケット５２の外周側の壁面５３において、局部的に強度が低下することはなく、破損を防止することができる。また、ころ５６の外周側の端面５７をＡ端面とすると、外周側に凹んだ曲面から構成されるポケット５２の外周側の壁面５３と、ころ５６の外周側の端面５７とが、適切に接触することができるため、耐摩耗性を向上させることができる。
【００３８】
この場合、しごき加工された面であるポケット５２の外周側の壁面５３の曲率半径をＲ１（ｍｍ）とし、回転軸方向に折り曲げられた外周側の鍔部５４の内周側の面５５の曲率半径をＲ２（ｍｍ）とし、外周側の鍔部５４の内周側の面５５とポケット５２の外周側の壁面５３との径方向の長さをＨ（ｍｍ）とすると、Ｒ１＝Ｒ２±１０ｍｍ＋Ｈの関係を有するよう構成することが好ましい。このように構成することにより、ポケット５２の外周側の壁面５３の形状をより適切にすることができ、ころ５６の挙動を安定させることができる。
【００３９】
さらに、ころ５６の外周側の端面５７の曲率半径をＲ３（ｍｍ）とすると、Ｒ１＞Ｒ３の関係を有するよう構成することが好ましい。こうすることにより、周速の小さいころ５６の外周側の端面５７の最も膨出した部分とポケット５２の外周側の壁面５３のみを接触させることができるため、耐摩耗性を向上させることができる。
【００４０】
この場合、ポケット５２のしごき量は、保持器５１の板厚の２０％以下とすることが好ましい。しごき量が多くなれば、板厚が薄くなる。そうすると、ポケット５２の外周側の壁面５３が強度不足となるおそれがある。したがって、しごき量を板厚の２０％以下とすることにより、ポケット５２の外周側の壁面５３の強度を維持することができる。
【００４１】
また、上記したしごき面の面粗度Ｒａは、２μｍ以下であることが好ましい。面粗度Ｒａがこのような範囲内であれば、ころの外周側の端面と、ポケットの外周側の壁面との摩耗を低減することができる。ここで、面粗度Ｒａは、算術平均粗さをいう。
【００４２】
なお、上記の実施の形態においては、ポケットの外周側の壁面についてのみ、しごき加工によって形成される面としたが、これに限らず、ポケットの内周側の壁面についても、しごき加工によって形成される面としてもよい。こうすることにより、ポケットの内周側の壁面と、ころの内周側の端面との接触による摩耗を低減することができ、さらに、長寿命を図ることができる。
【００４３】
また、上記の実施の形態においては、外周側および内周側の鍔部を折り返すようにして折り曲げることにしたが、これに限らず、折り返すことなく、一方向に折り曲げる構成としてもよい。
【００４４】
なお、上記の実施の形態においては、ころの端面を、Ａ端面やＦ端面としたが、これに限らず、曲率の異なる複数の曲面から構成されるＡＲ端面、断面が略Ｒ形状であるＲ端面を有するころを使用してもよい。
【００４５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４６】
この発明に係るスラストころ軸受の製造方法は、精度よく製造することができ、長寿命を実現することができるスラストころ軸受を製造することができるため、高速回転下において耐摩耗性が要求されるカーエアコン用コンプレッサやオートマチックトランスミッション、マニュアルトランスミッション及びハイブリッド自動車に用いられるスラストころ軸受を製造する際に、有効に利用される。
【図面の簡単な説明】
【００４７】
【図１】ポケット形成工程およびしごき工程を同時に行う場合の概略図である。
【図２】この発明の一実施形態に係るスラストころ軸受を軸方向から見た図である。
【図３】図２に示すスラストころ軸受を、図２中の線ＩＩＩ−Ｏ−ＩＩＩで切断した場合の断面図である。
【図４】図２に示すスラストころ軸受のうち、図２中のＩＶで示す部分の拡大図である。
【図５】図３に示すスラストころ軸受のうち、図３中のＶで示す部分の拡大図である。
【図６】ころの外周側の端面と、ポケットの外周側の壁面とが当接した状態を、軸方向から見た拡大図である。
【図７】ころの外周側の端面と、ポケットの外周側の壁面とが当接した状態を示す拡大断面図である。
【図８】この発明の一実施形態に係るスラストころ軸受の製造方法に含まれる保持器の製造工程のうち、代表的な工程を示すフローチャートである。
【図９】ポケット形成工程を行う場合の概略図である。
【図１０】しごき工程を行う場合の概略図である。
【図１１】ポケットの外周側の壁面が平らであるスラストころ軸受の一部を示す拡大図である。
【図１２】ポケットの外周側の壁面が曲面であるスラストころ軸受の一部を示す拡大図である。
【符号の説明】
【００４８】
１１，４６，５６  ころ、１２，４７，５７  端面、２１，４１，５１  保持器、２２，４２，５２  ポケット、２３ａ，２３ｂ  環状部、２４  柱部、２５  ころ止め部、２６ａ，２６ｂ，５４  鍔部、２７ａ，２７ｂ，４３，５３  壁面、５５  面、３１  スラストころ軸受、３６ａ  雄型しごき冶具、３６ｂ  雌型しごき冶具、３７  パンチ。
【図１】
2008025592.tif 000003
【図２】
2008025592.tif 000004
【図３】
2008025592.tif 000005
【図４】
2008025592.tif 000006
【図５】
2008025592.tif 000007
【図６】
2008025592.tif 000008
【図７】
2008025592.tif 000009
【図８】
2008025592.tif 000010
【図９】
2008025592.tif 000011
【図１０】
2008025592.tif 000012
【図１１】
2008025592.tif 000013
【図１２】
2008025592.tif 000014